(57)【要約】【課題】解像度が異なる複数のＬＰＨを備えた画像形成装置において、各ＬＰＨの有効露光幅の相異に起因する画像品質の低下を低減し得ること。【解決手段】ＬＰＨ３３Ｙ、３３Ｍ、３３Ｃの第１、２素子番号ＲＡ、ＬＡに対応するＬＥＤ素子と、ＬＰＨ３３Ｋの第１、２素子番号ＲＡ、ＬＡに対応するＬＥＤ素子と、により潜像画像を夫々形成させ、第１、２読取センサＳＥ１、ＳＥ２により読み取られたＬＰＨ３３Ｙ、３３Ｍ、３３Ｃの第１、２素子番号ＲＡ、ＬＡに対応するＬＥＤ素子による潜像画像に基づく画像の主走査方向における位置と、ＬＰＨ３３Ｋの第１、２素子番号ＲＡ、ＬＡに対応するＬＥＤ素子による潜像画像に基づく画像の主走査方向における位置と、が一致しているか否かの判別結果に応じて、ＬＰＨ３３Ｋの第１、２素子番号ＲＡ、ＬＡに対応するＬＥＤ素子を他のＬＥＤ素子に変更する画像形成装置１。【選択図】図５
2008213402.tif 000002
【特許請求の範囲】
【請求項１】
複数のＬＥＤ素子が主走査方向に配列され当該ＬＥＤ素子の点灯によりカラー画像の潜像画像を形成させる第１露光手段と、
複数のＬＥＤ素子が主走査方向に配列され当該ＬＥＤ素子の点灯により白黒画像の潜像画像を形成させ、前記第１露光手段よりも高解像度である第２露光手段と、
前記転写ベルト上に形成された前記潜像画像に基づく画像を読み取る読取手段と、
前記第１露光手段が有する複数のＬＥＤ素子のうち予め設定された位置に対応するＬＥＤ素子と、前記第２露光手段が有する複数のＬＥＤ素子のうち当該第１露光手段において設定されたＬＥＤ素子に対応する位置に配列されたＬＥＤ素子と、により潜像画像を夫々形成させ、前記読取手段により読み取られた前記第１露光手段において設定されたＬＥＤ素子による潜像画像に基づく画像の前記主走査方向における位置と、前記第２露光手段において設定されたＬＥＤ素子による潜像画像に基づく画像の前記主走査方向における位置と、を判別する判別手段と、
前記判別手段による判別結果に応じて、前記第２露光手段において設定されたＬＥＤ素子を他のＬＥＤ素子に変更する変更手段と、
を備えること、
を特徴とする画像形成装置。
【請求項２】
前記変更手段は、
前記判別手段により前記第１露光手段において設定されたＬＥＤ素子による潜像画像に基づく画像と前記第２露光手段において設定されたＬＥＤ素子による潜像画像に基づく画像とが形成された位置の差に応じて、前記第２露光手段において設定されたＬＥＤ素子を他のＬＥＤ素子に変更すること、
を特徴とする請求項１に記載の画像形成装置。
【請求項３】
前記第１露光手段において予め設定された位置に対応するＬＥＤ素子とは、
前記第１露光手段が有する複数のＬＥＤ素子のうち主走査方向において中央に位置するＬＥＤ素子から一端部及び他端部の方向に予め設定された距離に配列されたＬＥＤ素子であること、
を特徴とする請求項１又は２に記載の画像形成装置。
【請求項４】
前記第２露光手段の解像度は、前記第１露光手段の整数倍であること、
を特徴とする請求項１から３のいずれか一項に記載の画像形成装置。
【請求項５】
複数のＬＥＤ素子が主走査方向に配列された複数の露光手段と、
前記露光手段の温度を検出する複数の温度検出手段と、
前記温度検出手段により検出された温度を記憶する検出温度記憶手段と、
前記露光手段の前記ＬＥＤ素子の配列の温度依存特性情報を記憶している温度特性記憶手段と、
前記温度検出手段により検出された温度、前記検出温度記憶手段に記憶されている温度、前記温度特性記憶手段に記憶されている温度依存特性情報、に基づいて、前記露光手段が有する複数のＬＥＤ素子のうち予め設定された位置に対応するＬＥＤ素子を他のＬＥＤ素子に変更するＬＥＤ素子変更手段と、
を備えること、
を特徴とする画像形成装置。
【発明の詳細な説明】
【技術分野】
【０００１】
本発明は、複数のＬＥＤ素子が配列されたＬＥＤプリンタヘッドを複数備えた画像形成装置に関する。
【背景技術】
【０００２】
近年、露光手段として、ＬＥＤプリンタヘッド（以下、ＬＰＨと称す。）を用いた画像形成装置が開発されている。ＬＰＨは、主走査方向に沿って予め設定された解像度に応じて配列された複数のＬＥＤ（Light Emitting Diode）素子、画像データに応じて発光されたＬＥＤ素子からの照射光を集光させて感光体に潜像画像を形成させるＧＲＩＮ（Graded-Index）レンズ等の光学手段等を備えて構成されている（特許文献１参照）。
【０００３】
又、ＬＰＨを露光手段として採用したタンデムタイプのカラー画像形成装置も実用化されており、この類の画像形成装置ではＹ（イエロー），Ｍ（マゼンダ），Ｃ（シアン）、Ｋ（ブラック）の色毎にＬＰＨが設けられている。
【特許文献１】特開２００４−８２５８３号公報
【発明の開示】
【発明が解決しようとする課題】
【０００４】
しかしながら、白黒画像形成及びカラー画像形成とでは異なる性能が求められており、例えば、Ｙ，Ｍ，Ｃの３色のＬＰＨは６００ｄｐｉ、ＫのＬＰＨは１２００ｄｐｉといったように、ＫのＬＰＨの解像度が他のＬＰＨの解像度より高く設定することが望まれることがある。
【０００５】
しかし、上記の例のようにＫのＬＰＨの解像度が他のＬＰＨの解像度の整数倍であるような場合であっても、ＫのＬＰＨと他のＬＰＨとは主走査方向の有効露光幅が異なる。これは、一般的な半導体製造装置の製造精度がメートル法で管理されているのに対し、ＬＰＨ解像度の単位はヤード・ポンド法のインチを用いたｄｐｉであるためであり、メートル法の精度をｄｐｉ換算して用いると誤差が生じるためである。精度誤差を画像品位に影響が生じない程度に低減させるには製造精度を１μｍ単位で管理することが必要となるが、製造コストの上昇を招き、現実的ではない。
【０００６】
このように、ヤード・ポンド法の解像度が異なるＬＰＨを複数備えた画像形成装置では、製造精度に起因して、解像度が異なると有効露光幅が異なる。このため、ＬＰＨ相互間では記録幅が異なり、採用する解像度に起因して最大記録幅が装置モデルによって異なるという不具合や画像品質の低下を招くという問題が生じる。
【０００７】
また、ＬＰＨが備えるＬＥＤ搭載基板は、ＬＥＤ素子の点灯による温度変化や周辺温度変化に応じて熱膨張が生じ、主走査方向に伸長することが知られている。この温度変化によるＬＥＤ搭載基板の伸長によっても記録幅が変動し、画像品質の低下を招く要因となっている。
【０００８】
本発明の課題は、解像度が異なる複数のＬＰＨを備えた画像形成装置において、各ＬＰＨの有効露光幅の相異に起因する画像品質の低下を低減することである。
【課題を解決するための手段】
【０００９】
請求項１に記載の発明は、複数のＬＥＤ素子が主走査方向に配列され当該ＬＥＤ素子の点灯によりカラー画像の潜像画像を形成させる第１露光手段と、複数のＬＥＤ素子が主走査方向に配列され当該ＬＥＤ素子の点灯によりに白黒画像の潜像画像を形成させ、前記第１露光手段よりも高解像度である第２露光手段と、前記転写ベルト上に形成された前記潜像画像に基づく画像を読み取る読取手段と、前記第１露光手段が有する複数のＬＥＤ素子のうち予め設定された位置に対応するＬＥＤ素子と、前記第２露光手段が有する複数のＬＥＤ素子のうち当該第１露光手段において設定されたＬＥＤ素子に対応する位置に配列されたＬＥＤ素子と、により潜像画像を夫々形成させ、前記読取手段により読み取られた前記第１露光手段において設定されたＬＥＤ素子による潜像画像に基づく画像の前記主走査方向における位置と、前記第２露光手段において設定されたＬＥＤ素子による潜像画像に基づく画像の前記主走査方向における位置と、を判別する判別手段と、前記判別手段による判別結果に応じて、前記第２露光手段において設定されたＬＥＤ素子を他のＬＥＤ素子に変更する変更手段と、を備える画像形成装置であること、を特徴としている。
【００１０】
請求項２に記載の発明は、請求項１に記載の画像形成装置において、前記変更手段は、前記判別手段により前記第１露光手段において設定されたＬＥＤ素子による潜像画像に基づく画像と前記第２露光手段において設定されたＬＥＤ素子による潜像画像に基づく画像とが形成された位置の差に応じて、前記第２露光手段において設定されたＬＥＤ素子を他のＬＥＤ素子に変更すること、を特徴としている。
【００１１】
請求項３に記載の発明は、請求項１又は２に記載の画像形成装置において、前記第１露光手段において予め設定された位置に対応するＬＥＤ素子とは、前記第１露光手段が有する複数のＬＥＤ素子のうち主走査方向において中央に位置するＬＥＤ素子から一端部及び他端部の方向に予め設定された距離に配列されたＬＥＤ素子であること、を特徴としている。
【００１２】
請求項４に記載の発明は、請求項１から３のいずれか一項に記載の画像形成装置において、前記第２露光手段の解像度は、前記第１露光手段の整数倍であること、を特徴としている。
【００１３】
請求項５に記載の発明は、複数のＬＥＤ素子が主走査方向に配列された複数の露光手段と、前記露光手段の温度を検出する複数の温度検出手段と、前記温度検出手段により検出された温度を記憶する検出温度記憶手段と、前記露光手段の前記ＬＥＤ素子の配列の温度依存特性情報を記憶している温度特性記憶手段と、前記温度検出手段により検出された温度、前記検出温度記憶手段に記憶されている温度、前記温度特性記憶手段に記憶されている温度依存特性情報、に基づいて、前記露光手段が有する複数のＬＥＤ素子のうち予め設定された位置に対応するＬＥＤ素子を他のＬＥＤ素子に変更するＬＥＤ素子変更手段と、を備える画像形成装置であること、を特徴としている。
【発明の効果】
【００１４】
請求項１に記載の発明によれば、第１露光手段において設定されたＬＥＤ素子による潜像画像に基づく画像と、第２露光手段において設定されたＬＥＤ素子による潜像画像に基づく画像と、が形成された位置が主走査方向において一致しているか否かに応じて、第１露光手段よりも高解像度の第２露光手段において設定されたＬＥＤ素子を他のＬＥＤ素子に変更することができるため、解像度が異なる複数の露光手段を備えた画像形成装置において、露光手段相互の有効露光幅の差を解像度の高い露光手段により調整することができるため、画像品質の低下を低減させることができる。
【００１５】
請求項２に記載の発明によれば、請求項１と同様の効果を得られるのは勿論のこと、第１露光手段において設定されたＬＥＤ素子による潜像画像に基づく画像と第２露光手段において設定されたＬＥＤ素子による潜像画像に基づく画像とが形成された位置の差に応じて、第２露光手段において設定されたＬＥＤ素子を第１露光手段において設定されたＬＥＤ素子に対応するＬＥＤ素子に変更することができ、露光手段相互の有効露光幅の差を解消することができる。
【００１６】
請求項３に記載の発明によれば、請求項１又は２と同様の効果を得られるのは勿論のこと、有効露光幅を第１露光手段が有する複数のＬＥＤ素子のうち主走査方向において中央に位置するＬＥＤ素子を基準に設定することができ、記録媒体の搬送方向と直交する方向の中央の位置を基準に記録媒体上に画像を形成させることができる。
【００１７】
請求項４に記載の発明によれば、請求項１から３のいずれか一項と同様の効果を得られるのは勿論のこと、白黒画像の潜像画像を形成させる第２露光手段の解像度を第１露光手段の解像度の整数倍とすることにより、形成される画像をシャープにして画像品質の向上を図ることができる。
【００１８】
請求項５に記載の発明によれば、温度検出手段により検出された露光手段の検出温度、検出温度記憶手段に記憶されている温度、温度依存特性情報に基づいて、露光手段に予め設定された位置に対応するＬＥＤ素子を他のＬＥＤ素子の変更することができるため、露光手段が有するＬＥＤ素子の点灯による温度変化や周辺温度変化によるＬＥＤ搭載基板の伸長による露光手段の有効露光幅の変動を解消することができるため、画像品質の低下を低減させることができる。
【発明を実施するための最良の形態】
【００１９】
以下、図を参照して本発明の実施の形態を詳細に説明する。
まず、構成を説明する。
図１に、本実施の形態における画像形成装置１の概略断面構成図を示す。
画像形成装置１は、原稿から画像を読み取り、読み取った画像を紙等の記録媒体Ｐに画像形成するコピー機能や、ＰＣ等の外部装置から画像データを受信し、画像データが表す画像を記録媒体Ｐ上に形成して出力するプリンタ機能等を備えたデジタル複合機である。図１に示すように、画像形成装置１は、画像読取部１０、プリント部２０から構成される。
【００２０】
画像読取部１０は、ＡＤＦ（Auto Document Feeder）と称される自動原稿送り部１１と読取部１２とを備える。
自動原稿送り部１１は、原稿トレイに積載される原稿を最上部から順に搬送させ、原稿の読取個所であるコンタクトガラスに原稿を密着させながら通過させ、そして、コンタクトガラスを通過して読み取りが完了した原稿を排紙トレイに排出させる。
【００２１】
読取部１２は、光源、レンズ、コンタクトガラス、ＣＣＤ（Charge Coupled Device）イメージセンサ等からなるスキャナを備えて構成され、原稿に照射した光の反射光を結像して光電変換することにより原稿の原稿画像（アナログ画像信号）を読み取り、読み取った原稿画像にＡ／Ｄ変換や各種画像処理を施した後、プリントデータとしてプリント部２０に出力する。ここで、画像とは、図形や写真等のイメージデータに限らず、文字や記号等のテキストデータ等も含む意である。
【００２２】
プリント部２０は、入力されたプリントデータに基づいて、電子写真方式の画像形成を行うものであり、画像形成部３０と、クリーニング部４０と、転写ベルト５０と、給紙部６０と、搬送部７０と、定着部８０と、第１読取センサＳＥ１、第２読取センサＳＥ２とを備えて構成される。
【００２３】
本実施の形態の画像形成部３０は、最大４色（イエロー（Ｙ）、マゼンダ（Ｍ）、シアン（Ｃ）、ブラック（Ｋ））の画像を形成する際に、夫々異なる色のトナーを充填可能な色毎の画像形成部３０Ｙ、３０Ｍ、３０Ｃ、３０Ｋを備えて構成されている。
【００２４】
例えば、画像形成部３０Ｙは、感光体ドラム３１Ｙと、帯電装置３２Ｙと、露光手段としてのＬＥＤプリンタヘッド（以下、ＬＰＨと称す。）３３Ｙと、現像装置３４Ｙと、転写装置３５Ｙと、クリーニング装置３６Ｙとを備え、イエロー（Ｙ）の画像を形成する。
【００２５】
ＬＰＨ３３Ｙは、主走査方向に配列された複数の発光ダイオード（ＬＥＤ；Light Emitting Diode）を露光光源として備えると共に、複数のＧＲＩＮ（Graded-Index）レンズを主走査方向Ｘに配列させた光学部材を備え、画像データに基づいてＬＥＤが選択的に駆動され、駆動されたＬＥＤから照射される光を感光体ドラム３１Ｙ上に集光させて結像させる。
【００２６】
具体的には、帯電装置３２Ｙにより帯電された感光体ドラム３１Ｙに、ＬＰＨ３３Ｙからイエロー（Ｙ）の画像データに応じた光を照射して潜像画像を形成する。そして、現像装置３４Ｙは、潜像画像が形成された感光体ドラム３１Ｙの表面に帯電したイエロー（Ｙ）のトナーを付着させて潜像画像を現像する。現像装置３４Ｙによりトナーが付着された感光体ドラム３１Ｙは、転写装置３５Ｙが配置された転写位置へ一定速度で回転されながら後述する転写ベルト５０に転写される。転写ベルト５０にトナー画像が転写された後、クリーニング装置３６Ｙが、感光体ドラム３１Ｙの表面の残留電荷や残留トナー等を除去する。
【００２７】
また、ＬＰＨ３３Ｙは、ＬＥＤ素子の点灯や周辺環境の変化による温度変化の影響によりＬＥＤ素子を搭載しているＬＥＤ素子搭載基板が主走査方向に伸縮することを考慮し、ＬＥＤ素を搭載している基板及びＬＥＤ素子に対応する光学部材が主走査方向において一端部のみ固定されている。また、ＬＰＨ３３Ｙが備える各ＬＥＤ素子は、ＬＥＤ素子搭載基板の固定端部から各ＬＥＤ素子を識別する番号（以下、素子番号）が付されている。
【００２８】
同様に、画像形成部３０Ｍ、３０Ｃ、３０Ｋは、感光体ドラム３１Ｍ、３１Ｃ、３１Ｋの周囲に配置された帯電装置３２Ｍ、３２Ｃ、３２Ｋ、ＬＰＨ３３Ｍ、３３Ｃ、３３Ｋ、現像装置３４Ｍ、３４Ｃ、３４Ｋ、転写装置３５Ｍ、３５Ｃ、３５Ｋ、クリーニング装置３６Ｍ、３６Ｃ、３６Ｋを備え、マゼンタ（Ｍ）、シアン（Ｃ）、ブラック（Ｋ）のトナー画像をそれぞれ形成する。
【００２９】
転写ベルト５０は、複数のローラに懸架され回転可能に支持された半導電性エンドレスベルトであり、ローラの回転に伴って回転駆動される。
この転写ベルト５０は、転写装置３５Ｙ、３５Ｍ、３５Ｃ、３５Ｋによりそれぞれ感光体ドラム３１Ｙ、３１Ｍ、３１Ｃ、３１Ｋに圧着される。これにより感光体ドラム３１Ｙ、３１Ｍ、３１Ｃ、３１Ｋの表面に現像された各トナーは、転写装置３５Ｙ、３５Ｍ、３５Ｃ、３５Ｋによる転写位置で転写ベルト５０上に搬送された記録媒体Ｐにイエロー、マゼンタ、シアン、ブラックの各トナーが順次重ねて転写される。
【００３０】
カラー画像を記録媒体Ｐに形成する場合、イエロー、マゼンタ、シアンのトナーの消費の削減及び記録媒体Ｐ上に付着されるトナー総量を削減させると共に、画像をシャープにして画像品質を向上させるため、イエロー、マゼンタ、シアンの３色のトナー画像に加え、イエロー、マゼンタ、シアンよりも高解像度のブラックのトナー画像を重ね合わせることが知られている。
【００３１】
従って、ＬＰＨ３３Ｙ、３３Ｍ、３３Ｃは、複数のＬＥＤ素子が主走査方向に配列され当該ＬＥＤ素子の点灯によりカラー画像（白黒画像以外）の潜像画像、即ち、イエロー、マゼンタ、シアンの潜像画像を形成させる第１露光手段としての機能を実現する。また、ＬＰＨ３３Ｋは、複数のＬＥＤ素子が主走査方向に配列され当該ＬＥＤ素子の点灯により白黒画像の潜像画像、即ち、ブラックの潜像画像を形成させ、ＬＰＨ３３Ｙ、３３Ｍ、３３Ｃよりも高解像度である第２露光手段としての機能を実現する。
【００３２】
本実施の形態においては、ＬＰＨ３３Ｙ、３３Ｍ、３３Ｃの解像度を６００［ｄｐｉ］、ＬＰＨ３３Ｋの解像度を１２００［ｄｐｉ］として説明する。なお、ＬＰＨ３３Ｋの解像度は、これに限らずＬＰＨ３３Ｙ、３３Ｍ、３３Ｃの整数倍の解像度であることが高画質を実現させるためにも好ましい。
【００３３】
給紙部６０は、複数の給紙トレイ６１と手差しトレイ６２とを備える。
給紙トレイ６１は、給紙トレイ６１毎にサイズや種類毎に予め識別された記録媒体Ｐが収容されており、給紙ローラ６１ａによって収容された記録媒体Ｐを最上部から一枚ずつ搬送部６０に向けて搬送する。
手差しトレイ６２は、ユーザのニーズに合わせて様々な種類の記録媒体Ｐをその都度積載可能となっており、給紙ローラ６２ａによって積載された記録媒体Ｐを最上部から一枚ずつ搬送部７０に向けて搬送する。
【００３４】
搬送部７０は、給紙トレイ６１又は手差しトレイ６２から搬送された記録媒体Ｐを、複数の中間ローラ７１ａ、７１ｂ、レジストローラ７２を経て転写装置３５Ｙ等へと搬送する。
【００３５】
定着部８０は、搬送部７０によって搬送された記録媒体Ｐに転写されたトナー像を熱定着する。定着処理された記録媒体Ｐは、排紙ローラ７３に挟持されて排紙トレイ７４上に出力される。
【００３６】
転写装置３５Ｙ、３５Ｍ、３５Ｃ、３５Ｋにより記録媒体Ｐにトナー画像が転写された後、記録媒体Ｐが曲率及び静電的に分離された転写ベルト５０は、クリーニング部４０により残留トナー等が除去される。
【００３７】
第１読取センサＳＥ１及び第２読取センサＳＥ２は、転写ベルト５０上に形成された潜像画像に基づく画像（トナー画像）を読み取る読取手段としての機能を実現する。図２に、転写ベルト５０の概略上面図を示し、転写ベルト５０に対するＬＰＨ３３Ｙ、３３Ｍ、３３Ｃ、３３Ｋと第１読取センサＳＥ１及び第２読取センサＳＥ２との配置位置関係を説明する。
【００３８】
図２に示すように、ＬＰＨ３３Ｙ、３３Ｍ、３３Ｃ、３３Ｋは、記録媒体の搬送方向Ｙと直行する方向（主走査方向Ｘ）に転写ベルト５０を横断するように延在して設けられている。図２中に記載のＬｙ１、Ｌｙ２は、ＬＰＨ３３Ｙが有する複数のＬＥＤ素子のうち主走査方向Ｘの一端部及び他端部近傍に配列された任意のＬＥＤ素子（後述する第１、２素子番号に対応するＬＥＤ素子）により形成された潜像画像によるトナー画像であり、Ｌｋ１、Ｌｋ２は、ＬＰＨ３３Ｋが有する複数のＬＥＤ素子のうち主走査方向Ｘの一端部及び他端部近傍に配列された任意のＬＥＤ素子（後述する第１、２素子番号に対応するＬＥＤ素子）により形成された潜像画像によるトナー画像である。
【００３９】
第１読取センサＳＥ１及び第２読取センサＳＥ２は、それぞれ画像形成部３０において録媒体Ｐの搬送方向Ｙの下流の位置に設けられており、第１読取センサＳＥ１は、ＬＰＨ３３Ｙ、３３Ｍ、３３Ｃ、３３Ｋの主走査方向Ｘの一端部近傍に設けられたＬＥＤ素子による潜像画像により形成されたトナー画像（例えば、Ｌｙ１、Ｌｋ１）を読取可能な位置に設けられており、第２読取センサＳＥ２は、ＬＰＨ３３Ｙ、３３Ｍ、３３Ｃ、３３Ｋの主走査方向Ｘの他端部近傍に設けられたＬＥＤ素子による潜像画像により形成されたトナー画像（例えば、Ｌｙ２、Ｌｋ２）を読取可能な位置に設けられている。
【００４０】
第１読取センサＳＥ１及び第２読取センサＳＥ２は、転写ベルト５０上に形成されるトナー画像の色応答特性を有したセンサであり、例えば、波長λが６３０［ｎｍ］程度の光を転写ベルト５０上に照射する発光部と、転写ベルト５０から反射された反射光を受光する受光部と、を備える一次元ラインセンサが好ましい。
【００４１】
図３に、画像形成装置１の制御ブロック図を示す。
図３に示すように、画像形成装置１は、本体制御部１００、機構制御部２００、操作表示部３００、外部Ｉ／Ｆ４００、画像読取部及びプリント部（不図示）などにより構成され、各部は通信手段としてのバス５００により接続されている。
【００４２】
本体制御部１００は、ＣＰＵ（Central Processing Unit）１１０、ＲＯＭ（Read Only
Memory）１２０、不揮発メモリ１３０、ＲＡＭ（Random Access Memory）１４０、画像処理部１５１、画像処理部１５１と接続されたＬＰＨ制御部１５２、Ｉ／Ｏ（Input/Output）１６１、１６２等を備えている。
【００４３】
ＣＰＵ１１０は、ＲＯＭ１２０又は不揮発メモリ１３０に記憶されているシステムプログラム、各処理プログラム、データを読み出して、不揮発メモリ１３０又はＲＡＭ１４０内に展開し、展開されたプログラムに従って、画像形成装置１各部の動作を集中制御する。システム全体のタイミング制御、不揮発メモリ１３０又はＲＡＭ１４０を使用した画像データの記憶及び蓄積制御、プリント部２０に対する画像データの入出力制御、他のアプリケーション（ＦＡＸ、プリンタ、スキャナ等）とのインターフェース（Ｉ／Ｆ）や動作制御を行うものである。
【００４４】
また、ＣＰＵ１１０は、外部Ｉ／Ｆ４００を介して受信したＰＣ（Personal Computer
）等の外部装置から送信される画像データや、画像読取部１０から送られてきた画像データを、一時的に不揮発メモリ１３０又はＲＡＭ１４０に格納し、画像データに基づいたプリントデータを画像処理部１５１に展開する。ＣＰＵ１１０は、機構制御部２００へ起動指示信号を出力し、画像形成装置１の各部の動作を行わせる。
【００４５】
更にＣＰＵ１１０は、画像形成装置１の組立時又は機構調整時において、ＬＰＨ３３Ｙ、３３Ｍ、３３Ｃが有する複数のＬＥＤ素子のうち予め設定された位置に対応するＬＥＤ素子と、ＬＰＨ３３Ｋが有する複数のＬＥＤ素子のうちＬＰＨ３３Ｙ、３３Ｍ、３３Ｃにおいて設定されたＬＥＤ素子に対応する位置に配列されたＬＥＤ素子と、により潜像画像を夫々形成させ、第１読取センサＳＥ１及び第２読取センサＳＥ２により読み取られたＬＰＨ３３Ｙ、３３Ｍ、３３Ｃにおいて設定されたＬＥＤ素子による潜像画像に基づく画像（トナー画像）と、ＬＰＨ３３Ｋにおいて設定されたＬＥＤ素子による潜像画像に基づく画像（トナー画像）と、が形成された位置が主走査方向Ｘにおいて一致しているか否かを判別し、当該判別結果に応じて、ＬＰＨ３３Ｋにおいて設定されたＬＥＤ素子を他のＬＥＤ素子に変更するＬＰＨの有効露光幅調整処理を実行する。
【００４６】
また、ＣＰＵ１１０は、画像形成装置１の起動時又は稼働中において、後述する各ＬＰＨ内に設けられた温度センサにより検出された温度、不揮発メモリ１３０に記憶されている過去の各ＬＰＨの温度、不揮発メモリ１３０に記憶されている後述する温度依存特性情報、に基づいて、各ＬＰＨが有する複数のＬＥＤ素子のうち予め設定された位置に対応するＬＥＤ素子を他のＬＥＤ素子に変更するＬＰＨの有効露光幅調整処理を実行する。
【００４７】
ＬＰＨ３３Ｙ、３３Ｍ、３３Ｃが有する複数のＬＥＤ素子のうち予め設定された位置に対応するＬＥＤ素子とは、ＬＰＨ３３Ｙ、３３Ｍ、３３Ｃが有する複数のＬＥＤ素子のうち主走査方向Ｘにおいて中央に位置するＬＥＤ素子（センター素子番号ＣＥに対応するＬＥＤ素子）から一端部及び他端部の方向に予め設定された距離に配列されたＬＥＤ素子（第１、２素子番号ＲＡ、ＬＡに対応するＬＥＤ素子）である。
【００４８】
センター素子番号ＣＥとは、各ＬＰＨの主走査方向Ｘに配列された複数のＬＥＤ素子において、主走査方向Ｘにおいて中央に位置するＬＥＤ素子の素子番号である。
【００４９】
第１素子番号ＲＡとは、各ＬＰＨの主走査方向Ｘにおいてセンター素子番号ＣＥのＬＥＤ素子から一端部の方向に予め設定された距離に対応するＬＥＤ素子数目のＬＥＤ素子の素子番号である。また、第２素子番号ＬＡとは、各ＬＰＨの主走査方向Ｘにおいてセンター素子番号ＣＥのＬＥＤ素子から他端部の方向に予め設定された距離に対応する素子数目のＬＥＤ素子の素子番号である。
【００５０】
ＲＯＭ１２０は、画像形成装置１に対応するプログラムやデータなどがあらかじめ記憶されており、システムプログラム、当該システムに対応する各種処理プログラム、各種処理プログラムで処理するのに必要なデータを記憶している。
【００５１】
また、ＲＯＭ１２０は、本実施の形態において、画像形成装置１の組立時又は機構調整時において実行されるＬＰＨの有効露光幅調整処理、画像形成装置１の起動時又は稼動時において実行されるＬＰＨの有効露光幅調整処理を実行させるプログラム、当該プログラムを実行させるために必要な各種データを予め記憶している。
【００５２】
不揮発メモリ１３０は、フラッシュメモリ等で構成され、各種プログラム及びデータを書き換え可能に記憶する。また、本実施の形態の不揮発メモリ１３０は、後述する各ＬＰＨ内に設けられた温度センサにより検出された温度（検出温度）を記憶する検出温度記憶手段と、各ＬＰＨのＬＥＤ素子の配列による温度依存特性情報を記憶している温度特性記憶手段としての機能を実現する。
【００５３】
図４に、１２００［ｄｐｉ］のＬＰＨ３３Ｋの温度依存特性情報としての温度依存性グラフの一例を示す。
図４に示す温度依存特性グラフは、横軸をＬＰＨ３３Ｋの主走査方向における中央部分の温度［℃］、縦軸をＬＰＨ３３Ｋにおけるドット位置の変動量［ｍｍ］として、固定端部近傍のＬＥＤ素子Ａ、主走査方向において中央部近傍のＬＥＤ素子Ｂ、自由端近傍のＬＥＤ素子Ｃ、それぞれによって形成される温度変化に伴うドットの位置変動量を示すものである。
【００５４】
図４に示すように、温度上昇と共にドット位置変動量も大きくなるという傾向があり、また、ＬＥＤ素子の位置によっても温度上昇に伴うドット位置変動量が異なるという特性がある。また、ＬＰＨ３３Ｙ、３３Ｍ、３３Ｃは、ＬＰＨ３３Ｋとは解像度が異なりＬＥＤ素子の総数や点灯制御が異なることから、温度上昇に伴うドット位置変動量の傾き（変化量）がＬＰＨ３３Ｋと異なるが同様の傾向（特性）有している。
【００５５】
ＲＡＭ１４０は、ＣＰＵ１１０により実行される各種処理において、ＲＯＭ１２０から読み出されたプログラム、入力、若しくは出力データ及びパラメータなどの一時的な格納領域となる。
【００５６】
画像処理部１５１は、画像読取部１０や外部Ｉ／Ｆ４００等から送られてきた画像データの画像処理（変倍、フィルタ、γ変換など）を行い、プリント出力対象となるデータを生成する。
【００５７】
ＬＰＨ制御部１５２は、画像処理部１５１により生成されたプリントデータを格納すると共に、生成されたプリントデータに基づいた各種信号をＬＰＨ３３Ｙ、３３Ｍ、３３Ｃ、３３Ｋにそれぞれ出力する。
【００５８】
Ｉ／Ｏ１６１は、各ＬＰＨ（ＬＰＨ３３Ｙ、３３Ｍ、３３Ｃ、３３Ｋ）内に設けられ、各ＬＰＨの温度を検出する温度検出手段としての温度センサ（第１温度センサＳＥ１１、第２温度センサＳＥ１２、第３温度センサＳＥ１３、第４温度センサＳＥ１４）と接続されており、各温度センサから検出された検出温度をＣＰＵ１１０に出力すると共に、不揮発メモリ１３０に記憶させる。
【００５９】
温度センサ（第１温度センサＳＥ１１、第２温度センサＳＥ１２、第３温度センサＳＥ１３、第４温度センサＳＥ１４）としては、サーミスタ、熱電対、赤外センサなどを用いることができ、各ＬＰＨの温度又は各ＬＰＨ近傍の温度を検出できるものであればよく、この限りではない。
【００６０】
Ｉ／Ｏ１６２は、第１読取センサＳＥ１、第２読取センサＳＥ２と接続されており、第１読取センサＳＥ１及び第２読取センサＳＥ２から検出された信号をＣＰＵ１１０に出力する。
【００６１】
機構制御部２００は、本体制御部１００からの信号に基づいて画像形成装置１内の各種駆動機構及び各種センサ等を統括的に制御するものであり、例えば、感光体ドラム３１Ｙを一定速度で回転させるモータを駆動制御している。
【００６２】
操作表示部３００は、ＬＣＤ（Liquid Crystal Display）又は有機ＥＬ（Electronic Luminescent）素子を用いた等の表示画面や電源スイッチを含む操作キー群、操作表示制御部等から構成される。表示画面上には、表示画面を覆うようにタッチパネルが設けられており、操作表示制御部は、本体制御部１００から入力される表示信号に従って、各種設定条件を入力するための各種設定画面や画像形成装置の動作状態や処理結果等を表示画面上に表示させる。また、操作表示制御部は、操作キー群又はタッチパネルから入力される操作信号を本体制御部１００に送信する。
【００６３】
外部Ｉ／Ｆ４００は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、通信可能に接続された外部機器と相互に情報の送受信を行う。
【００６４】
次に、本実施の形態の動作を説明する。
図５〜１０に示す処理のフローチャートは、本体制御部１００内のＣＰＵ１１０、ＲＯＭ１２０、不揮発メモリ１３０、ＲＡＭ１４０等の協働により実現される動作である。
【００６５】
まず、図５〜７を参照して、画像形成装置１の組立時又は機構調整時において実行されるＬＰＨの有効露光幅調整処理について説明する。
【００６６】
ＣＰＵ１１０は、第１〜４温度センサＳＥ１１、ＳＥ１２、ＳＥ１３、ＳＥ１４から検出された各ＬＰＨの温度を一時的に保持し（ステップＳ１）、各ＬＰＨのセンター素子番号ＣＥの設定を行う（ステップＳ２）。
【００６７】
ステップＳ２におけるセンター素子番号ＣＥの設定は、例えば、各ＬＰＨが有するＬＥＤ素子の総数をｎ（ｎ；偶数）とした場合、（ｎ／２）＋１番目のＬＥＤ素子の素子番号をセンター素子番号ＣＥとして仮設定するものである。
【００６８】
ＣＰＵ１１０は、ステップＳ２後、各ＬＰＨの主走査方向において第１素子番号ＲＡ、第２素子番号ＬＡの設定を行う（ステップＳ３）。
【００６９】
ステップＳ３における第１、２素子番号ＲＡ、ＬＡの設定は、一端部、他端部の方向それぞれにセンター素子番号ＣＥのＬＥＤ素子から予め設定された距離に対応するＬＥＤ素子数目のＬＥＤ素子の素子番号を設定するものである。ステップＳ３において第１素子番号ＲＡ及び第２素子番号ＬＡを設定する際のセンター素子番号ＣＥのＬＥＤ素子からの予め設定された距離は、各ＬＰＨ共通の距離であり、当該予め設定された距離に対応するＬＥＤ素子数は、各ＬＰＨの解像度に応じて算出されるものである。
【００７０】
そしてＣＰＵ１１０は、まず、イエロー（Ｙ）のＬＰＨ３３Ｙとブラック（Ｋ）のＬＰＨ３３Ｋとの有効露光幅調整を行う。ＣＰＵ１１０は、イエロー（Ｙ）のＬＰＨ３３Ｙとブラック（Ｋ）のＬＰＨ３３Ｋ夫々の第１、２素子番号ＲＡ、ＬＡに対応するＬＥＤ素子をＯＮに設定し（ステップＳ４）、ＬＰＨ３３ＹとＬＰＨ３３Ｋを点灯動作させ、中間転写ベル５０上に潜像画像によるトナー画像を形成させる（ステップＳ５）。
【００７１】
ＣＰＵ１１０は、第１読取センサＳＥ１によりＬＰＨ３３Ｙの第１素子番号ＲＡにより形成されたトナー画像及びＬＰＨ３３Ｋの第１素子番号ＲＡにより形成されたトナー画像を読み取らせ、第２読取センサＳＥ２によりＬＰＨ３３Ｙの第２素子番号ＬＡにより形成されたトナー画像及びＬＰＨ３３Ｋの第２素子番号ＬＡにより形成されたトナー画像を読み取らせる（ステップＳ６）。
【００７２】
ＣＰＵ１１０は、第１読取センサＳＥ１により読み取られたＬＰＨ３３Ｙの第１素子番号ＲＡにより形成されたトナー画像とＬＰＨ３３Ｋの第１素子番号ＲＡにより形成されたトナー画像との主走査方向Ｘにおける形成位置が一致しているか否か、及び、第２読取センサＳＥ２により読み取られたＬＰＨ３３Ｙの第２素子番号ＬＡにより形成されたトナー画像とＬＰＨ３３Ｋの第２素子番号ＬＡにより形成されたトナー画像との主走査方向Ｘにおける形成位置が一致しているか否か、の解析を行う（ステップＳ７）。
【００７３】
ＣＰＵ１１０は、ステップＳ７による解析結果に応じて第１読取センサＳＥ１及び第２読取センサＳＥ２により夫々読み取られたトナー画像は主走査方向Ｘにおける形成位置が一致しているか否かを判別する（ステップＳ８）。
【００７４】
ＣＰＵ１１０は、第１読取センサＳＥ１又は第２読取センサＳＥ２により夫々読み取られたトナー画像は主走査方向Ｘにおける形成位置が一致していないと判別した場合（ステップＳ８；Ｎｏ）、ＬＰＨ３３Ｙの第１素子番号ＲＡにより形成されたトナー画像とＬＰＨ３３Ｋの第１素子番号ＲＡにより形成されたトナー画像との主走査方向Ｘにおける位置ズレ量（以下、第１位置ズレ量）、ＬＰＨ３３Ｙの第２素子番号ＬＡにより形成されたトナー画像とＬＰＨ３３Ｋの第２素子番号ＬＡにより形成されたトナー画像との主走査方向Ｘにおける位置ズレ量（以下、第２位置ズレ量）、とを算出し、当該第１、２位置ズレ量に応じて、ＬＰＨ３３Ｋのセンター素子番号ＣＥ、第１素子番号ＲＡ、第２素子番号ＬＡを変更し（ステップＳ９）、ステップＳ４に戻る。
【００７５】
ステップＳ９のセンター素子番号ＣＥ、第１素子番号ＲＡ、第２素子番号ＬＡの変更としては、例えば、第１素子番号ＲＡの変更は、第１位置ズレ量に対応するＬＰＨ３３Ｋの解像度に応じたＬＥＤ素子数を算出し、算出したＬＥＤ素子数を第１素子番号ＲＡに加味することにより変更する。第２素子番号ＬＡの変更は、第２位置ズレ量に対応するＬＰＨ３３Ｋの解像度に応じたＬＥＤ素子数を算出し、算出したＬＥＤ素子数を第２素子番号ＬＡに加味することにより変更する。センター素子番号ＣＥの変更は、変更された第１素子番号ＲＡから変更された第２素子番号ＬＡまでの総数ｎ１を算出し、この総数ｎ１に基づいてセンター素子番号ＣＥを算出することにより変更する。
【００７６】
ＣＰＵ１１０は、第１読取センサＳＥ１及び第２読取センサＳＥ２により夫々読み取られたトナー画像は主走査方向Ｘにおける形成位置が一致していると判別した場合（ステップＳ８；Ｙｅｓ）、ＬＰＨ３３Ｙ、ＬＰＨ３３Ｋに設定されている各センター素子番号ＣＥ、第１素子番号ＲＡ、第２素子番号ＬＡをステップＳ１において検出した検出温度と共に不揮発メモリ１３０又はＲＡＭ１４０に一時保持させる（ステップＳ１０）。
【００７７】
次に、ＣＰＵ１１０は、マゼンタ（Ｍ）のＬＰＨ３３Ｍとブラック（Ｋ）のＬＰＨ３３Ｋとの有効露光幅調整を行う。ＣＰＵ１１０は、マゼンタ（Ｍ）のＬＰＨ３３Ｍとブラック（Ｋ）のＬＰＨ３３Ｋ夫々の第１、２素子番号ＲＡ、ＬＡに対応するＬＥＤ素子をＯＮに設定し（ステップＳ１１）、ＬＰＨ３３ＭとＬＰＨ３３Ｋを点灯動作させ、中間転写ベル５０上に潜像画像によるトナー画像を形成させる（ステップＳ１２）。
【００７８】
ＣＰＵ１１０は、第１読取センサＳＥ１によりＬＰＨ３３Ｍの第１素子番号ＲＡにより形成されたトナー画像及びＬＰＨ３３Ｋの第１素子番号ＲＡにより形成されたトナー画像を読み取らせ、第２読取センサＳＥ２によりＬＰＨ３３Ｍの第２素子番号ＬＡにより形成されたトナー画像及びＬＰＨ３３Ｋの第２素子番号ＬＡにより形成されたトナー画像を読み取らせる（ステップＳ１３）。
【００７９】
ＣＰＵ１１０は、第１読取センサＳＥ１により読み取られたＬＰＨ３３Ｍの第１素子番号ＲＡにより形成されたトナー画像とＬＰＨ３３Ｋの第１素子番号ＲＡにより形成されたトナー画像との主走査方向Ｘにおける形成位置が一致しているか否か、及び、第２読取センサＳＥ２により読み取られたＬＰＨ３３Ｍの第２素子番号ＬＡにより形成されたトナー画像とＬＰＨ３３Ｋの第２素子番号ＬＡにより形成されたトナー画像との主走査方向Ｘにおける形成位置が一致しているか否か、の解析を行う（ステップＳ１４）。
【００８０】
ＣＰＵ１１０は、ステップＳ７による解析結果に応じて第１読取センサＳＥ１及び第２読取センサＳＥ２により夫々読み取られたトナー画像は主走査方向Ｘにおける形成位置が一致しているか否かを判別する（ステップＳ１５）。
【００８１】
ＣＰＵ１１０は、第１読取センサＳＥ１又は第２読取センサＳＥ２により夫々読み取られたトナー画像は主走査方向Ｘにおける形成位置が一致していないと判別した場合（ステップＳ１５；Ｎｏ）、ＬＰＨ３３Ｍの第１素子番号ＲＡにより形成されたトナー画像とＬＰＨ３３Ｋの第１素子番号ＲＡにより形成されたトナー画像との主走査方向Ｘにおける位置ズレ量、ＬＰＨ３３Ｍの第２素子番号ＬＡにより形成されたトナー画像とＬＰＨ３３Ｋの第２素子番号ＬＡにより形成されたトナー画像との主走査方向Ｘにおける位置ズレ量、とを算出し、当該ぞれぞれの位置ズレ量に応じて、ＬＰＨ３３Ｋのセンター素子番号ＣＥ、第１素子番号ＲＡ、第２素子番号ＬＡを変更し（ステップＳ１６）、ステップＳ１１に戻る。
【００８２】
ステップＳ１６のセンター素子番号ＣＥ、第１素子番号ＲＡ、第２素子番号ＬＡを変更は、ステップＳ９と同様に行うことができるため、説明は省略する。
【００８３】
ＣＰＵ１１０は、第１読取センサＳＥ１及び第２読取センサＳＥ２により夫々読み取られたトナー画像は主走査方向Ｘにおける形成位置が一致していると判別した場合（ステップＳ１６；Ｙｅｓ）、不揮発メモリ１３０又はＲＡＭ１４０に一時保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡとをそれぞれ比較する（ステップＳ１７）。
【００８４】
ＣＰＵ１１０は、不揮発メモリ１３０又はＲＡＭ１４０に一時保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡとが共にそれぞれ一致しているか否かを判別する（ステップＳ１８）。
【００８５】
ＣＰＵ１１０は、不揮発メモリ１３０又はＲＡＭ１４０に一時保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡとの少なくとも一方が一致していないと判別した場合（ステップＳ１８；Ｎｏ）、保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡのそれぞれのＬＥＤ素子数の差（素子ズレ量）に応じて、ＬＰＨ３３Ｋのセンター素子番号ＣＥ、第１素子番号ＲＡ、第２素子番号ＬＡを変更し（ステップＳ１９）、ステップＳ４に戻る。
【００８６】
ステップＳ１９のセンター素子番号ＣＥ、第１素子番号ＲＡ、第２素子番号ＬＡの変更は、ステップＳ９と同様に行うことができるため、説明は省略する。
【００８７】
更に、ＣＰＵ１１０は、不揮発メモリ１３０又はＲＡＭ１４０に一時保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡとが共にそれぞれ一致していると判別した場合（ステップＳ１８；Ｙｅｓ）、シアン（Ｃ）のＬＰＨ３３Ｃとブラック（Ｋ）のＬＰＨ３３Ｋとの有効露光幅調整を行う。ステップＳ２０〜Ｓ２８は、マゼンダ（Ｍ）のＬＰＨ３３Ｍをシアン（Ｃ）のＬＰＨ３３Ｃに換える以外はステップＳ１１〜Ｓ１９と同様であるため、説明は省略する。
【００８８】
ＣＰＵ１１０は、不揮発メモリ１３０又はＲＡＭ１４０に一時保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡとが共にそれぞれ一致していると判別した場合（ステップＳ２７；Ｙｅｓ）、本処理において設定された全てのＬＰＨのセンター素子番号ＣＥ、第１素子番号ＲＡ、第２素子番号ＬＡを各ＬＰＨの検出温度と共に不揮発メモリ１３０に記憶させ（ステップＳ２９）、本処理を終了させる。
【００８９】
次に、図８〜１０を参照して、画像形成装置１の起動時又は稼動時において実行されるＬＰＨの有効露光幅調整処理について説明する。
【００９０】
ＣＰＵ１１０は、第１〜４温度センサＳＥ１１、ＳＥ１２、ＳＥ１３、ＳＥ１４から検出された各ＬＰＨの温度を一時的に保持し（ステップＳ３１）、第１〜４温度センサＳＥ１１、ＳＥ１２、ＳＥ１３、ＳＥ１４から検出された各ＬＰＨの温度に基づいて、各ＬＰＨのセンター素子番号ＣＥの設定を行う（ステップＳ３２）。
【００９１】
ステップＳ３２におけるセンター素子番号ＣＥの設定は、例えば、各ＬＰＨにおいて、各ＬＰＨに設けられた温度センサからステップＳ３１において検出された検出温度、不揮発メモリ１３０にセンター素子番号ＣＥと共に記憶されている各ＬＰＨの検出温度、各ＬＰＨの温度依存特性情報に基づいて、ドット位置の変動量を算出し、算出した変動量を各ＬＰＨの解像度に応じたＬＥＤ素子数に換算し、算出されたＬＥＤ素子数を不揮発メモリ１３０に記憶されている各ＬＰＨのセンター素子番号ＣＥに加味することにより設定するものである。
【００９２】
ＣＰＵ１１０は、ステップＳ３２後、第１〜４温度センサＳＥ１１、ＳＥ１２、ＳＥ１３、ＳＥ１４から検出された各ＬＰＨの温度に基づいて、各ＬＰＨの主走査方向において第１素子番号ＲＡ、第２素子番号ＬＡの設定を行う（ステップＳ３３）。
【００９３】
ステップＳ３３における第１素子番号ＲＡの設定は、例えば、各ＬＰＨにおいて、各ＬＰＨに設けられた温度センサからステップＳ３１において検出された検出温度、不揮発メモリ１３０に第１素子番号ＲＡと共に記憶されている検出温度、各ＬＰＨの温度依存特性情報に基づいて、ドット位置の変動量を算出し、算出した変動量を各ＬＰＨの解像度に応じたＬＥＤ素子数に換算し、算出されたＬＥＤ素子数を不揮発メモリ１３０に記憶されている各ＬＰＨの第１素子番号ＲＡに加味することにより設定するものである。第２素子番号ＬＡの設定も第１素子番号ＲＡの設定と同様に設定するものである。
【００９４】
そしてＣＰＵ１１０は、まず、イエロー（Ｙ）のＬＰＨ３３Ｙとブラック（Ｋ）のＬＰＨ３３Ｋとの有効露光幅調整を行う。ステップＳ３４〜Ｓ４０は、ステップＳ４〜Ｓ１０と同様であるため、説明は省略する。
【００９５】
次に、ＣＰＵ１１０は、マゼンタ（Ｍ）のＬＰＨ３３Ｍとブラック（Ｋ）のＬＰＨ３３Ｋとの有効露光幅調整を行う。ステップＳ４１〜Ｓ４９は、ステップＳ１１〜Ｓ１９と同様であるため、説明は省略する。
【００９６】
更に、ＣＰＵ１１０は、シアン（Ｃ）のＬＰＨ３３Ｃとブラック（Ｋ）のＬＰＨ３３Ｋとの有効露光幅調整を行う。ステップＳ５０〜Ｓ５８は、ステップＳ２０〜Ｓ２８と同様であるため、説明は省略する。
【００９７】
ＣＰＵ１１０は、不揮発メモリ１３０又はＲＡＭ１４０に一時保持されているＬＰＨ３３Ｋの第１素子番号ＲＡと現在設定されているＬＰＨ３３Ｋの第１素子番号ＲＡ、保持されているＬＰＨ３３Ｋの第２素子番号ＬＡと現在設定されているＬＰＨ３３Ｋの第２素子番号ＬＡとが共にそれぞれ一致していると判別した場合（ステップＳ５７；Ｙｅｓ）、本処理において設定された全てのＬＰＨのセンター素子番号ＣＥ、第１素子番号ＲＡ、第２素子番号ＬＡを各ＬＰＨの検出温度と共に不揮発メモリ１３０に記憶させ（ステップＳ５９）、本処理を終了させる。
【００９８】
以上のように、本実施の形態の画像形成装置１によれば、ＬＰＨ３３Ｙ、３３Ｍ、３３Ｃにおいて設定されたＬＥＤ素子による潜像画像に基づくトナー画像と、ＬＰＨ３３Ｋにおいて設定されたＬＥＤ素子による潜像画像に基づくトナー画像と、が形成された位置が主走査方向Ｘにおいて一致しているか否かに応じて、ＬＰＨ３３Ｙ、３３Ｍ、３３Ｃよりも高解像度のＬＰＨ３３Ｋにおいて設定されたＬＥＤ素子を他のＬＥＤ素子に変更することができるため、解像度が異なる複数のＬＰＨを備えた画像形成装置１において、ＬＰＨ相互の有効露光幅の差を解像度の高いＬＰＨ３３Ｋにより調整することができるため、画像品質の低下を低減させることができる。
【００９９】
また、ＬＰＨ３３Ｙ、３３Ｍ、３３Ｃにおいて設定されたＬＥＤ素子による潜像画像に基づくトナー画像とＬＰＨ３３Ｋにおいて設定されたＬＥＤ素子による潜像画像に基づくトナー画像とが形成された位置の差（位置ズレ量）に応じて、ＬＰＨ３３Ｋにおいて設定されたＬＥＤ素子をＬＰＨ３３Ｙ、３３Ｍ、３３Ｃにおいて設定されたＬＥＤ素子に対応するＬＥＤ素子に変更することができ、ＬＰＨ相互の有効露光幅の差を解消することができる。
【０１００】
更に、各温度センサにより検出された各ＬＰＨの検出温度、保持済みの検出温度、各ＬＰＨの温度依存特性情報に基づいて、各ＬＰＨに予め設定された位置に対応するＬＥＤ素子を他のＬＥＤ素子の変更することができるため、各ＬＰＨが有するＬＥＤ素子の点灯による温度変化や周辺温度変化によるＬＥＤ搭載基板の伸長による各ＬＰＨの有効露光幅の変動を解消することができるため、画像品質の低下を低減させることができる。
【０１０１】
なお、第１素子番号ＲＡ及び第２素子番号ＬＡをＬＰＨ３３Ｙ、３３Ｍ、３３Ｃが有する複数のＬＥＤ素子のうち主走査方向Ｘにおいて中央に位置するＬＥＤ素子（センター素子番号ＣＥに対応するＬＥＤ素子）を基準に設定することができるため、第１素子番号ＲＡから第２素子番号ＬＡを有効露光幅とすることにより、記録媒体Ｐの搬送方向Ｙと直交する方向の中央の位置を基準に記録媒体Ｐ上に画像を形成させることができる。
【０１０２】
本発明は、上記実施の形態の内容に限定されるものではなく、本発明の主旨を逸脱しない範囲で適宜変更可能である。
【図面の簡単な説明】
【０１０３】
【図１】本実施の形態における画像形成装置１の概略断面構成図である。
【図２】転写ベルト５０の概略上面図である。
【図３】画像形成装置１の制御ブロック図である。
【図４】１２００［ｄｐｉ］のＬＰＨ３３Ｋの温度依存特性情報としての温度依存性グラフの一例である。
【図５】画像形成装置１の組立時又は機構調整時において実行されるＬＰＨの有効露光幅調整処理のフローチャートである。
【図６】画像形成装置１の組立時又は機構調整時において実行されるＬＰＨの有効露光幅調整処理のフローチャートである（図５の続き）。
【図７】画像形成装置１の組立時又は機構調整時において実行されるＬＰＨの有効露光幅調整処理のフローチャートである（図６の続き）。
【図８】画像形成装置１の起動時又は稼動時において実行されるＬＰＨの有効露光幅調整処理のフローチャートである。
【図９】画像形成装置１の起動時又は稼動時において実行されるＬＰＨの有効露光幅調整処理のフローチャートである（図８の続き）。
【図１０】画像形成装置１の起動時又は稼動時において実行されるＬＰＨの有効露光幅調整処理のフローチャートである（図９の続き）。
【符号の説明】
【０１０４】
１  画像形成装置
１０  画像読取部
１１  自動原稿送り部
１２  読取部
２０  プリント部
３０、３０Ｙ、３０Ｍ、３０Ｃ、３０Ｋ  画像形成部
３１Ｙ、３１Ｍ、３１Ｃ、３１Ｋ  感光体ドラム
３２Ｙ、３２Ｍ、３２Ｃ、３２Ｋ  帯電装置
３３Ｙ、３３Ｍ、３３Ｃ、３３Ｋ  ＬＰＨ
３４Ｙ、３４Ｍ、３４Ｃ、３４Ｋ  現像装置
３５Ｙ、３５Ｍ、３５Ｃ、３５Ｋ  転写装置
３６Ｙ、３６Ｍ、３６Ｃ、３６Ｋ  クリーニング装置
４０  クリーニング部
５０  転写ベルト
６０  給紙部
６１  給紙トレイ
６１ａ、６２ａ  給紙ローラ
６２  手差しトレイ
７０  搬送部
７１ａ、７１ｂ  中間ローラ
７２  レジストローラ
７３  排紙ローラ
７４  排紙トレイ
８０  定着部
１００  本体制御部
１１０  ＣＰＵ
１２０  ＲＯＭ
１３０  不揮発メモリ
１４０  ＲＡＭ
１５１  画像処理部
１５２  ＬＰＨ制御部
１６１、１６２  Ｉ／Ｏ
２００  機構制御部
３００  操作表示部
４００  外部Ｉ／Ｆ
５００  バス
Ｐ  記録媒体
ＣＥ  センター素子番号
ＬＡ  第２素子番号
ＲＡ  第１素子番号
ＳＥ１  第１読取センサ
ＳＥ２  第２読取センサ
ＳＥ１１  第１温度センサ
ＳＥ１２  第２温度センサ
ＳＥ１３  第３温度センサ
ＳＥ１４  第４温度センサ
Ｘ  主走査方向
Ｙ  搬送方向
【図１】
2008213402.tif 000003
【図２】
2008213402.tif 000004
【図３】
2008213402.tif 000005
【図４】
2008213402.tif 000006
【図５】
2008213402.tif 000007
【図６】
2008213402.tif 000008
【図７】
2008213402.tif 000009
【図８】
2008213402.tif 000010
【図９】
2008213402.tif 000011
【図１０】
2008213402.tif 000012